(57)【要約】【課題】建物内の適切な通風及び空調制御と防犯対策とが可能なホームマネジメントシステムを提供する。【解決手段】ＨＥＭＳ３０は、外気温センサ４０、雨滴センサ４４、風量センサ４６及び室内気温センサ４８の検知結果に応じて、開閉いずれの状態でも人が侵入できない窓５０，５４，５８及び開いた状態で人が侵入可能な窓５２，５６を開閉するために各窓のアクチュエータを制御し、かつエアコン７０，７２，７４の制御をする。また、ＨＥＭＳ３０は、防犯人感センサ４２が建物１００の敷地内で人の存在を検知した場合には、外気温センサ４０、雨滴センサ４４、風量センサ４６及び室内気温センサ４８の検知結果によらず、窓５２，５６を閉めるためにアクチュエータを制御する。【選択図】図６
2016008741.tif 000002
【特許請求の範囲】
【請求項１】
降水、風量及び建物の内外の気温を各々検知する環境検知手段と、
前記建物の敷地内の人の存在を検知する人感検知手段と、
開閉いずれの状態でも人が侵入できない第１の窓と、
開いた状態で人が侵入可能な第２の窓と、
前記第１の窓及び第２の窓の各々に設けられ、前記第１の窓及び前記第２の窓を開閉するアクチュエータと、
前記建物内の気温を調整する空調手段と、
前記環境検知手段の検知結果に応じて、前記第１の窓及び前記第２の窓を開閉するために前記アクチュエータを制御し、かつ前記空調手段の制御をすると共に、前記人感検知手段が前記敷地内で人の存在を検知した場合には、前記環境検知手段の検知結果によらず、前記第２の窓を閉めるために前記アクチュエータを制御する制御手段と、
を備えたホームマネジメントシステム。
【請求項２】
前記人感検知手段は、前記建物の居住者が所持する電子鍵から該居住者を識別するための認証情報を取得可能で、
前記制御手段は、前記人感検知手段が取得した認証情報が前記建物の居住者として登録されたものである場合には、前記環境検知手段の検知結果に応じて、前記第２の窓を開閉するために前記アクチュエータを制御する請求項１に記載のホームマネジメントシステム。
【発明の詳細な説明】
【技術分野】
【０００１】
本発明は、気象条件、防犯上の必要性に応じて建物の窓を開閉するホームマネジメントシステムに関する。
【背景技術】
【０００２】
外気温又は室温と設定温度とを比較することにより、建物の窓を開閉するシステムが提案されている。特許文献１には、気温と、室温と設定温度とに基づいて、建物のトップライトとシーリングファンと地窓とエアコンとを適宜制御することにより、建物内の通風を図りエアコンの使用を抑制できる技術が開示されている。
【先行技術文献】
【特許文献】
【０００３】
【特許文献１】特開２０１２−１０７８１２号公報
【発明の概要】
【発明が解決しようとする課題】
【０００４】
一方、昨今では、防犯化住宅に対するニーズが高まっているので、通風及び空調制御を防犯の観点から改良することが望ましい。
【０００５】
本発明は、上記事実を考慮して成されたもので、建物内の適切な通風及び空調制御と防犯対策とが可能なホームマネジメントシステムを提供することを目的とする。
【課題を解決するための手段】
【０００６】
上記課題を解決するための請求項１の発明は、降水、風量及び建物の内外の気温を各々検知する環境検知手段と、前記建物の敷地内の人の存在を検知する人感検知手段と、開閉いずれの状態でも人が侵入できない第１の窓と、開いた状態で人が侵入可能な第２の窓と、前記第１の窓及び第２の窓の各々に設けられ、前記第１の窓及び前記第２の窓を開閉するアクチュエータと、前記建物内の気温を調整する空調手段と、前記環境検知手段の検知結果に応じて、前記第１の窓及び前記第２の窓を開閉するために前記アクチュエータを制御し、かつ前記空調手段の制御をすると共に、前記人感検知手段が前記敷地内で人の存在を検知した場合には、前記環境検知手段の検知結果によらず、前記第２の窓を閉めるために前記アクチュエータを制御する制御手段と、を備えている。
【０００７】
請求項１に記載の発明によれば、環境検知手段の検知結果に基づいて窓開閉及び空調の制御をすると共に、人感検知手段が建物の敷地内に人の存在を検知した場合には、環境検知手段の検知結果によらず開状態で人が侵入可能な窓を閉めることができる。
【０００８】
請求項２の発明は、請求項１に記載の発明において、前記人感検知手段は、前記建物の居住者が所持する電子鍵から該居住者を識別するための認証情報を取得可能で、前記制御手段は、前記人感検知手段が取得した認証情報が前記建物の居住者として登録されたものである場合には、前記環境検知手段の検知結果に応じて、前記第２の窓を開閉するために前記アクチュエータを制御する。
【０００９】
請求項２に記載の発明によれば、居住者と判定できる人物が敷地内に居るときは、環境検知手段の検知結果に応じて窓の開閉を行うことができる。
【発明の効果】
【００１０】
以上説明したように、請求項１に記載の発明は、人感検知手段が建物の敷地内に人の存在を検知した場合には、環境検知手段の検知結果によらず開状態で人が侵入可能な窓を閉める。かかる場合であっても、開閉いずれの状態でも人が侵入できない窓は、通風のために開くことが可能なので、建物内の適切な通風及び空調制御と防犯対策とが可能になるという効果を有する。
【００１１】
請求項２に記載の発明によれば、居住者と判定できる人物が敷地内に居るときは、環境検知手段の検知結果に応じて窓の開閉を行うことにより、建物内の適切な通風及び空調制御と防犯対策とが可能になるという効果を有する。
【図面の簡単な説明】
【００１２】
【図１】本発明の第１の実施の形態に係るホームマネジメントシステムを備えた建物の一例を示す概略図である。
【図２】本発明の第１の実施の形態に係るホームマネジメントシステムの概略構成の一例を示すブロック図である。
【図３】本発明の第１の実施の形態に係るホームマネジメントシステムに係るＨＥＭＳの概略構成の一例を示すブロック図である。
【図４】本発明の第１の実施の形態に係るホームマネジメントシステムにおける窓の開閉制御のための設定テーブルの一例である。
【図５】本発明の第１の実施の形態に係るホームマネジメントシステムにおける窓開閉の制御の一例を示すフローチャートである。
【図６】本発明の第２の実施の形態に係るホームマネジメントシステムの概略構成の一例を示すブロック図である。
【図７】本発明の第２の実施の形態に係るホームマネジメントシステムにおける窓の開閉制御及びエアコンの制御のための設定テーブルの一例である。
【図８】本発明の第２の実施の形態に係るホームマネジメントシステムにおける窓開閉及びエアコンの制御の一例を示すフローチャートである。
【図９】本発明の第３の実施の形態に係るホームマネジメントシステムの概略構成の一例を示すブロック図である。
【発明を実施するための形態】
【００１３】
［第１の実施の形態］
以下、図面を参照して本発明の第１の実施の形態の一例を詳細に説明する。図１は、本実施の形態に係るホームマネジメントシステム１０を備えた建物１００の一例を示す概略図である。図１に示したように、本実施の形態に係るホームマネジメントシステム１０を備えた建物１００は、建物１００の敷地を囲う塀３２，３４に外気温センサ４０及び防犯人感センサ４２が各々設けられている。
【００１４】
外気温センサ４０は、建物１００の外気温を検知するセンサであり、一例として、白金の温度による電気抵抗の変化に基づいて外気温を検知する電気式温度計である。また、防犯人感センサ４２は、例えば、センサから放射した赤外線又は超音波が何かに遮られたことに基づいて敷地内の人の存在を検知するセンサである。
【００１５】
また、防犯人感センサ４２は、建物１００の居住者であるユーザが玄関の電気錠（図示せず）を施錠及び解錠するために使用する電子鍵等から当該ユーザの認証情報をＮＦＣ（Near Field Communication）によって取得してもよい。例えば、認証情報を取得できなかった場合又は取得した認証情報が建物１００の居住者としてＨＥＭＳ３０の記憶装置に登録されたものではない場合には、ＨＥＭＳ３０は、防犯人感センサ４２が検知した対象を侵入者とみなす。
【００１６】
電子鍵には種々の方式があるが、本実施の形態では、ＩＣタグ等を用いたものであって、自ら認証情報を含んだ電波を認証器に発信するアクティブ型の電子鍵である。アクティブ型であれば、防犯人感センサ４２と電子鍵とにある程度の距離があっても、防犯人感センサは電子鍵から認証情報を取得できるからである。
【００１７】
建物１００は、屋根３６の最上部には、降水を検知する雨滴センサ４４及び風速を検知する風量センサ４６が設けられている。雨滴センサ４４は、例えば、ガラス製のケースの内部に赤外線の発光素子であるＬＥＤ、受光素子であるフォトダイオード、赤外線の光路を形成するレンズ及び制御回路を含んでいる。ＬＥＤから放射された赤外線はケースのガラスで全反射するが、ケースの表面に水滴が存在すると赤外線の一部が水滴を透過して外部に放出されるため、ガラスでの反射量が減少する。その結果、受光素子であるフォトダイオードに入る光量が減少するので、雨滴を検知できる。
【００１８】
風量センサ４６は、いわゆる風速計であり、例えば、垂直な回転軸の周りに３〜４個の略半球状の風杯と呼ばれる羽を備え、回転軸の回転速度から風速を検知する風杯型風速計である。又は、風向計と一体で、当該風向計の先端に設けられた風車の回転速度から風速を検知する風車型風速計、向かい合わせに配した発信部と受信部との間で超音波の伝播時間を測定することにより風速を測定する超音波式風速計でもよい。
【００１９】
建物１００には、窓５０，５２，５４，５６，５８が設けられている。窓５０、窓５４は、いわゆる高窓であり、幅が人の侵入が不可能なほど狭い。窓５２，５６は、いわゆる掃出し窓であり、人の出入りが可能な窓である。窓５８は、天井裏の通風のための換気用の窓であり、人の侵入が不可能なほど狭い。
【００２０】
図２は、本実施の形態に係るホームマネジメントシステム１０の概略構成の一例を示すブロック図である。制御装置であるＨＥＭＳ（Home Energy Management System）３０には、前述の外気温センサ４０、防犯人感センサ４２、雨滴センサ４４、風量センサ４６及び、建物１００内部の気温を計測する室内気温センサ４８が接続されている。室内気温センサ４８は、例えば、外気温センサ４０と同様に、白金の温度による電気抵抗の変化に基づいて室内の気温を検知する電気式温度計である。
【００２１】
本実施の形態で、外気温センサ４０、雨滴センサ４４、風量センサ４６及び室内気温センサ４８は、降水、風量及び建物１００の内外の気温を検知する環境検知手段であり、防犯人感センサ４２は、建物１００の敷地内の人の存在を検知する人感検知手段である。
【００２２】
ＨＥＭＳ３０は、これらのセンサの検知結果に基づいて、窓５０，５２，５４，５６，５８の開閉を制御する。本実施の形態では、窓５０，５２，５４，５６，５８の各々には、これらの窓を開閉するためのアクチュエータ及びこれらの窓の開閉の状態を検知するセンサ（共に図示せず）が各々設けられている。アクチュエータは、例えば、モータを内蔵した電動式であり、モータの回転軸にピニオンを設け、当該ピニオンとかみ合うラックを引き違い戸形式の窓５２の窓枠に設け、モータの回転力で窓を開閉する。また、アクチュエータは、窓を閉めたときに、内部機構をロックさせる等により、窓が施錠された状態にすることができる。内部機構のロックは、例えば、ラックとピニオンとの可動を規制する留め金等が、別のモータ又は電磁石を動力として引き出されるようなものでよい。
【００２３】
窓の開閉及び施錠の状態を検知するセンサは。例えば、窓枠に設けられた永久磁石であるセンサマグネットの磁界を検知して所定の信号を出力するホールセンサ等である。窓が開かれた場合、センサマグネットとホールセンサとの位置関係が変化することにより、ホールセンサはセンサマグネットからの磁界を検知できなくなる。その結果、ホールセンサは所定の信号を出力しなくなるので、ＨＥＭＳ３０は、ホールセンサからの所定の信号が途絶えたことで窓が開いたと判定できる。本実施の形態では、ＨＥＭＳ３０は、ホールセンサによって各窓の開閉状態を把握し、例えば、窓を閉じる必要がある場合で、既に窓が閉じている場合には、その閉じた状態を維持する制御を行う。また、ＨＥＭＳ３０は、窓を開く必要がある場合で、既に窓が開いている場合には、その開いた状態を維持する制御を行う。
【００２４】
また、ＨＥＭＳ３０は、窓を開く必要がある場合で窓が閉じている場合には、その窓を開く制御を行い、窓を閉じる必要がある場合で窓が開いている場合には、その窓を閉じる制御を行う。
【００２５】
図３は、本実施の形態に係るホームマネジメントシステム１０におけるＨＥＭＳ３０の概略構成を示すブロック図である。ＨＥＭＳ３０は、ＣＰＵ（Central Processing Unit）１２と、ＨＤＤ（Hard Disk Drive）１４と、ＲＡＭ（Random Access Memory）１６と、ネットワークＩ／Ｆ部１８と、ＲＯＭ（Read Only Memory）２０とを含む。また、ＨＥＭＳ３０は表示部２２と、操作入力部２４と、バス２６とを含んでおり、情報を入力する端末と情報を表示する端末との機能を有している。
【００２６】
ＣＰＵ１２は、ＨＥＭＳの全体の動作を司るものであり、ＨＤＤ１４は窓の開閉の制御のプログラム、ＯＳ（Operating System）及び窓の開閉の制御に供するデータ等が記録される不揮発性の記憶装置である。ＲＡＭ１６は、ＯＳ、プログラム又はデータが展開される揮発性の記憶装置である。ネットワークＩ／Ｆ部１８は、ネットワークに接続するためのものであり、ＮＩＣ（Network Interface Card）やそのドライバで構成される。ＲＯＭ２０は、ＨＥＭＳの起動時に動作するブートプログラムなどが記憶されている不揮発性の記憶装置である。表示部２２は、ホームマネジメントシステム１０に関する情報をユーザに表示するものである。操作入力部２４は、ユーザがホームマネジメントシステム１０の操作や情報を入力する際に用いられるものであり、一例としてタッチパネル、キーボード等の入力装置及びトラックボール、ペンタブレット若しくはマウス等のポインティングデバイスが含まれる。バス２６は、情報のやりとりが行われる際に使用される。
【００２７】
図４は、本実施の形態に係るホームマネジメントシステム１０における窓の開閉制御のための設定テーブルの一例である。ＨＥＭＳ３０は、各センサの検知結果に基づいて、暖房（状態番号１，７）、保温（同２，８）、通風（同３，９）、防犯（同４，１０）、荒天（同５，１１）及び冷房（同６，１２）の各制御を行う。本実施の形態では、防犯対策をする「警戒セット」がオフの場合には状態番号１〜６、「警戒セット」がオンの場合には状態番号７〜１２の制御を各々行う。図４に網掛けで示したように、「警戒セット」がオンになった場合には窓Ｂを閉める点だけが、「警戒セット」がオフの場合と異なるが、その他の制御は、基本的に「警戒セット」のオン又はオフのいかんによらず同じである。
【００２８】
図４における窓Ａは、窓５０，５４，５８等の、幅等が狭い又は強固な格子等が設けられていて開いていても人が侵入できない窓であり、窓Ｂは、窓５２，５６等の開いていると人の侵入を許す窓である。また、Ｔｍｉｎは下限温度で、一例として２０℃である。Ｔｍａｘは上限温度で、一例として３０℃である。ｓｅｔは設定値を意味している。
【００２９】
図４において、ＨＥＭＳ３０は、室内気温センサ４８が検知した室内温度が下限温度Ｔｍｉｎ未満の場合には、暖房（状態番号１，７）のため窓Ａ，Ｂを閉鎖し、室内温度が設定値未満の場合には、保温（状態番号２，８）のために暖房はオンにしないで窓Ａ，Ｂを閉鎖する。
【００３０】
外気温センサ４０が検知した外気温が設定値未満、室内温度が設定値以上で、雨滴センサ４４及び風量センサ４６の検知結果がいずれも設定値未満の場合には、通風（状態番号３，９）、防犯（同４，１０）の制御が行われる。この場合、「警戒セット」がオンになっている場合で、かつ防犯人感センサ４２の検知結果が設定値以上の場合には窓Ｂを閉鎖する。「警戒セット」がオフの場合又は防犯人感センサ４２の検知結果が設定値未満の場合には、窓Ａ，Ｂは通風のため開いた状態にする。
【００３１】
雨滴センサ４４及び風量センサ４６のいずれかの検知結果が設定値以上の場合には、飴や風が建物１００内に入り込まないように、窓Ａ，Ｂを閉鎖する荒天（状態番号５，１１）の制御を行う。また、外気温が設定値以上であって、かつ室内温度が上限温度Ｔｍａｘ以上の場合には、冷房（状態番号６，１２）のため窓Ａ，Ｂを閉鎖する。
【００３２】
図５は、本実施の形態に係るホームマネジメントシステム１０における窓開閉の制御の一例を示すフローチャートである。ステップ５００では、雨滴センサ４４及び風量センサ４６のいずれかの検知結果が設定値以上であるか否かを判定し、肯定判定の場合には、ステップ５０２で窓Ａ，Ｂを閉鎖して処理を終了する。
【００３３】
ステップ５００で否定判定の場合には、ステップ５０４で室内温度が下限値Ｔｍｉｎ未満か否かを判定し、肯定判定の場合には、ステップ５０２で窓Ａ，Ｂを閉鎖して処理を終了する。ステップ５０４で否定判定の場合には、ステップ５０６で室内温度が設定値未満か否かを判定し、肯定判定の場合には、ステップ５０２で窓Ａ，Ｂを閉鎖して処理を終了する。
【００３４】
ステップ５０６で否定判定の場合には、ステップ５０８で外気温が設定値以上であるか否かを判定し、肯定判定の場合には手順をステップ５１０に移行し、否定判定の場合には、ステップ５１０の処理をスキップする。
【００３５】
ステップ５１０では、室内温度が上限値Ｔｍａｘ以上か否かを判定し、肯定判定の場合には、ステップ５０２で窓Ａ，Ｂを閉鎖して処理を終了する。ステップ５１０で否定判定の場合には、ステップ５１２で室内温度が設定値以上であるか否かを判定し、否定判定の場合には、ステップ５０２で窓Ａ，Ｂを閉鎖して処理を終了する。
【００３６】
ステップ５１２で肯定判定の場合には、ステップ５１４で「警戒セット」がオンか否かを判定し、肯定判定の場合には、ステップ５１６で、防犯人感センサ４２の検知結果が設定値以上であるか否かを判定する。ステップ５１６で肯定判定の場合には、ステップ５１８で窓Ａは開き、窓Ｂは閉じて処理を終了する。ただし、防犯人感センサ４２が電子鍵から認証情報を取得可能で、かつ取得した認証情報が建物１００の居住者のものである場合には、防犯人感センサ４２の検知結果が設定値以上であっても、ステップ５１６で否定判定をする。
【００３７】
ステップ５１４又はステップ５１６で否定判定の場合には、ステップ５２０で環境検知手段の検知結果に基づく制御により、窓Ａ，Ｂを開いて処理を終了する。
【００３８】
以上説明したように、本実施の形態によれば、気温、降水、風量の各々を検知するセンサに加えて、建物１００の敷地内への侵入者を検知する防犯人感センサ４２の検知結果を用いて建物１００の窓の開閉を制御している。これにより、建物内の適切な通風と防犯対策とが可能なホームマネジメントシステムを提供することができる。
【００３９】
［第２の実施の形態］
続いて、本発明の第２の実施の形態について説明する。図６は、本実施の形態に係るホームマネジメントシステム６０の概略構成の一例を示すブロック図である。本実施の形態では、エアコン７０、７２，７４を備え、これらエアコンの制御をＨＥＭＳ３０が行う点において、前述の第１の実施の形態と相違する。その他の構成は、基本的に第１の実施の形態と同様なので、かかる構成には第１の実施の形態の場合と同一の符号を付し、その詳細な説明は省略する。
【００４０】
図７は、本実施の形態に係るホームマネジメントシステム６０における窓の開閉制御及びエアコンの制御のための設定テーブルの一例である。ＨＥＭＳ３０は、各センサの検知結果に基づいて、暖房（状態番号１３，１，７）、保温（同１４，２，８）、通風（同１５，３，９）、防犯（同１６，４，１０）、荒天（同１７，５，１１）及び冷房（同１８，６，１２）の各制御を行う。本実施の形態では、防犯対策をする「警戒セット」がオフの場合には状態番号１３〜１８、「警戒セット」の「在宅警戒セット」がオンの場合には状態番号１〜６、「警戒セット」の「外出警戒セット」がオンの場合には状態番号７〜１２の制御を各々行う。図７に網掛けで示したように、「在宅警戒セット」又は「外出警戒セット」がオンになった場合には窓Ｂを閉める点が、「警戒セット」がオフの場合と異なる。また、「外出警戒セット」がオンになった場合には、エアコンがいかなる場合もオフになる。
【００４１】
図７における窓Ａは、図４の場合と同じく、窓５０，５４，５８等の、幅等が狭くて開いていても人が侵入できない窓であり、窓Ｂは、窓５２，５６等の開いていると人の侵入を許す窓である。また、Ｔｍｉｎは下限温度で、一例として２０℃である。Ｔｍａｘは上限温度で、一例として３０℃である。ｓｅｔは設定値を意味している。
【００４２】
図７において、ＨＥＭＳ３０は、室内気温センサ４８が検知した室内温度が下限温度Ｔｍｉｎ未満の場合には、暖房（状態番号１３、１，７）のため窓Ａ，Ｂを閉鎖し、建物１００のユーザが外出する「外出警戒セット」以外の場合には暖房をオンにする。室内温度が設定値未満の場合には、保温（状態番号１４，２，８）のために暖房はオンにしないで窓Ａ，Ｂを閉鎖する。
【００４３】
外気温センサ４０が検知した外気温が設定値未満、室内温度が設定値以上で、雨滴センサ４４及び風量センサ４６の検知結果がいずれも設定値未満の場合には、通風（状態番号１５，３，９）、防犯（同１６，４，１０）の制御が行われる。この場合、「在宅警戒セット」又は「外出警戒セット」がオンになっている場合で、かつ防犯人感センサ４２の検知結果が設定値以上の場合には窓Ｂを閉鎖してエアコンをオフにする。「警戒セット」がオフの場合又は防犯人感センサ４２の検知結果が設定値未満の場合には、窓Ａ，Ｂは通風のため開いた状態で、エアコンはオフにする。
【００４４】
雨滴センサ４４及び風量センサ４６のいずれかの検知結果が設定値以上の場合には、飴や風が建物１００内に入り込まないように、窓Ａ，Ｂを閉鎖する荒天（状態番号１７，５，１１）の制御を行う。また、外気温が設定値以上であって、かつ室内温度が上限温度Ｔｍａｘ以上の場合には、冷房（状態番号６，１２）のため窓Ａ，Ｂを閉鎖する。なお、「外出警戒セット」がオンの場合には、荒天又は冷房の制御のときでもエアコンをオフにするが、「警戒セット」がオフの場合又は「在宅警戒セット」がオンの場合には、荒天又は冷房の制御のときにエアコンをオンにする。
【００４５】
図８は、本実施の形態に係るホームマネジメントシステム６０における窓開閉及びエアコンの制御の一例を示すフローチャートである。ステップ８００では、「外出警戒セット」がオンか否かを判定する。ステップ８００で肯定判定の場合には、ステップ８０２で、雨滴センサ４４及び風量センサ４６のいずれかの検知結果が設定値以上であるか否かを判定し、肯定判定の場合には、ステップ８０４で窓Ａ，Ｂを閉鎖して処理を終了する。
【００４６】
ステップ８０２で否定判定の場合には、ステップ８０６で室内温度が下限値Ｔｍｉｎ未満か否かを判定し、肯定判定の場合には、ステップ８０４で窓Ａ，Ｂを閉鎖して処理を終了する。ステップ８０６で否定判定の場合には、ステップ８０８で室内温度が設定値未満か否かを判定し、肯定判定の場合には、ステップ８０４で窓Ａ，Ｂを閉鎖して処理を終了する。
【００４７】
ステップ８０８で否定判定の場合には、ステップ８１０で外気温が設定値以上であるか否かを判定し、肯定判定の場合には手順をステップ８１２に移行し、否定判定の場合には、ステップ８１２の処理をスキップする。
【００４８】
ステップ８１２では、室内温度が上限値Ｔｍａｘ以上か否かを判定し、肯定判定の場合には、ステップ８０４で窓Ａ，Ｂを閉鎖して処理を終了する。ステップ８１２で否定判定の場合には、ステップ８１４で室内温度が設定値以上であるか否かを判定し、否定判定の場合には、ステップ８０４で窓Ａ，Ｂを閉鎖して処理を終了する。
【００４９】
ステップ８１４で肯定判定の場合には、ステップ８１６で防犯人感センサ４２の検知結果が設定値以上であるか否かを判定する。ステップ８１６で肯定判定の場合には、ステップ８１８で窓Ａは開き、窓Ｂは閉じて処理を終了する。ただし、防犯人感センサ４２が電子鍵から認証情報を取得可能で、かつ取得した認証情報が建物１００の居住者のものである場合には、防犯人感センサ４２の検知結果が設定値以上であっても、ステップ８１６で否定判定をする。
【００５０】
ステップ８１６で否定判定の場合には、ステップ８２０で環境検知手段の検知結果に基づく制御により、窓Ａ，Ｂを開いて処理を終了する。
【００５１】
ステップ８００で否定判定の場合には、ステップ８２２では、雨滴センサ４４及び風量センサ４６のいずれかの検知結果が設定値以上であるか否かを判定する。ステップ８２２で肯定判定の場合には、ステップ８２４でエアコン（オート制御）をオンにし、ステップ８０４で窓Ａ，Ｂを閉鎖して処理を終了する。
【００５２】
ステップ８２２で否定判定の場合には、ステップ８２６で室内温度が下限値Ｔｍｉｎ未満か否かを判定する。ステップ８２６で肯定判定の場合には、ステップ８２８でエアコン（暖房）をオンにし、ステップ８０４で窓Ａ，Ｂを閉鎖して処理を終了する。ステップ８２６で否定判定の場合には、ステップ８３０で室内温度が設定値未満か否かを判定し、肯定判定の場合には、ステップ８０４で窓Ａ，Ｂを閉鎖して処理を終了する。
【００５３】
ステップ８３０で否定判定の場合には、ステップ８３２で外気温が設定値以上であるか否かを判定し、肯定判定の場合には手順をステップ８３４に移行し、否定判定の場合には、ステップ８３４の処理をスキップする。
【００５４】
ステップ８３４では、室内温度が上限値Ｔｍａｘ以上か否かを判定する。ステップ８３４で肯定判定の場合には、ステップ８３６でエアコン（冷房）をオンにし、ステップ８０４で窓Ａ，Ｂを閉鎖して処理を終了する。ステップ８３４で否定判定の場合には、ステップ８３８で室内温度が設定値以上であるか否かを判定し、否定判定の場合には、ステップ８０４で窓Ａ，Ｂを閉鎖して処理を終了する。
【００５５】
ステップ８３８で肯定判定の場合には、ステップ８４０で「在宅警戒セット」がオンか否かを判定し、肯定判定の場合には、ステップ８４２で、防犯人感センサ４２の検知結果が設定値以上であるか否かを判定する。ステップ８４２で肯定判定の場合には、ステップ８４４で窓Ａは開き、窓Ｂは閉じて処理を終了する。ただし、防犯人感センサ４２が電子鍵から認証情報を取得可能で、かつ取得した認証情報が建物１００の居住者のものである場合には、防犯人感センサ４２の検知結果が設定値以上であっても、ステップ８４２で否定判定をする。
【００５６】
ステップ８４０又はステップ８４４で否定判定の場合には、ステップ８４６で環境検知手段の検知結果に基づく制御により、窓Ａ，Ｂを開いて処理を終了する。
【００５７】
以上のように、本実施の形態によれば、例えば、夏場にＨＥＭＳ３０で「在宅警戒セット」をオンにしてエアコン（冷房）を使用しながら就寝している場合であれば、窓５０，５２，５４，５６，５８を閉じた状態とする。その後、外気温センサ４０が検知した外気温が設定値未満になると、エアコンをオフにし、窓５０，５２，５４，５６，５８を開いて通風を図る制御が可能となる。
【００５８】
その後、防犯人感センサ４２が侵入者を検知した場合には、窓５２，５６を閉鎖。防犯人感センサ４２が侵入者を検知しなくなってから所定の時間が経過後に、窓５２，５６を開くようにする。
【００５９】
また、雨滴センサ４４又は風量センサ４６の検知結果が設定値以上の場合には、窓５０，５２，５４，５６，５８を閉鎖し、室内気温に応じて自動制御のエアコンをオンにすることができる。
【００６０】
以上説明したように、本実施の形態によれば、気温、降水、風量の各々を検知するセンサに加えて、建物１００の敷地内への侵入者を検知する防犯人感センサ４２の検知結果を用いて建物１００の窓の開閉及びエアコンを制御している。これにより、建物内の適切な通風と省エネルギーと防犯対策とが可能なホームマネジメントシステムを提供することができる。
【００６１】
［第３の実施の形態］
続いて、本発明の第３の実施の形態について説明する。図９は、本実施の形態に係るホームマネジメントシステム８０の概略構成の一例を示すブロック図である。本実施の形態は、エアコン７０、７２，７４を備え、窓の開閉と、これらエアコンの制御をＨＥＭＳ３０が行う点において、前述の第２の実施の形態と同様である。制御においても、第２の実施の形態の設定テーブルである図７及び同フローチャートである図８の記載に従う。
【００６２】
したがって、第２の実施の形態と同一の構成については、第２の実施の形態の場合と同一の符号を付し、その詳細な説明は省略する。
【００６３】
本実施の形態における第２の実施の形態との差異は、ネットワーク９０との接続にある。本実施の形態では、ＨＥＭＳ３０は、ゲートウェイである終端装置８２を介してネットワーク９０に接続されており、さらにネットワーク９０を介してスマートセンター９４に接続されている。
【００６４】
スマートセンターは、ＨＥＭＳ３０に生活及び防犯に関する情報を提供可能なサーバ及びネットワーク９０を介して、ＨＥＭＳ３０による窓開閉及びエアコンの制御等の状況が、ユーザの携帯情報端末９６で閲覧できるようにするサーバを備えている。
【００６５】
例えば、ＨＥＭＳ３０は、現時点での窓及びエアコンの制御の状況並びに各センサの検知結果のデータをスマートセンター９４のサーバに所定の時間間隔でアップロードする。スマートセンター９４は、ＨＥＭＳ３０からアップロードされたデータをユーザ専用のサイトに掲載する。そして、ユーザは携帯情報端末９６でスマートセンターのユーザ専用のサイトにアクセスすることで、建物１００における窓及びエアコンの制御の状況並びに各センサの検知結果を閲覧できる。
【００６６】
ユーザ専用のサイトは、一例として、ユーザ名及びパスワード等を用いた認証によってアクセス可能なＨＴＴＰＳ（Hypertext Transfer Protocol Secure）通信によるものとする。
【００６７】
以上説明したように、本実施の形態によれば、気温、降水、風量の各々を検知するセンサに加えて、建物１００の敷地内への侵入者を検知する防犯人感センサ４２の検知結果を用いて建物１００の窓の開閉及びエアコンを制御している。これにより、建物内の適切な通風と省エネルギーと防犯対策とが可能なホームマネジメントシステムを提供することができる。
【００６８】
また、本実施の形態によれば、建物１００での窓及びエアコンの制御の状況並びに各センサの検知結果を、外出先から携帯情報端末９６等の通信機器を用いて確認することができる。
【符号の説明】
【００６９】
１０   ホームマネジメントシステム
１２   ＣＰＵ
１４   ＨＤＤ
１６   ＲＡＭ
１８   ネットワークＩ／Ｆ部
２０   ＲＯＭ
２２   表示部
２４   操作入力部
２６   バス
３０   ＨＥＭＳ
４０   外気温センサ
４２   防犯人感センサ
４４   雨滴センサ
４６   風量センサ
４８   室内気温センサ
５０，５２，５４，５６，５８       窓
６０   ホームマネジメントシステム
７０，７２，７４     エアコン
１００ 建物
【図１】
2016008741.tif 000003
【図２】
2016008741.tif 000004
【図３】
2016008741.tif 000005
【図４】
2016008741.tif 000006
【図５】
2016008741.tif 000007
【図６】
2016008741.tif 000008
【図７】
2016008741.tif 000009
【図８】
2016008741.tif 000010
【図９】
2016008741.tif 000011